(57)【要約】【課題】複数の耕起溝Ｕを耕起した後、播種、覆土そして鎮圧をするという部分耕耘直播を行うにあたり、耕耘爪１０の数を増やして耕起効率を高くすると共に、耕起溝Ｕの溝幅を簡単に変更できるようにする。【解決手段】一つの耕起溝Ｕを耕起するための前記耕耘爪１０を取付けるべく耕耘軸８に設けた爪ホルダ１１を、耕起溝Ｕの溝幅中心Ｏに対して溝幅方向に交互にオフセットして順次設けるようにして、爪ホルダ１１が、基端部を側面視でオーバーラップした取り付けができることになって、その分、爪ホルダ１１の数を増やすことができると共に、先端折曲部１０ａを有する耕耘爪１０の折曲部１０ａの向きを変更することで溝幅を変更できるようにする。【選択図】図２
2007244258.tif 000002
【特許請求の範囲】
【請求項１】
耕耘軸に設けた複数の爪ホルダを介して取付けた耕耘爪によって耕起した耕起溝に播種するように構成した部分耕耘直播装置において、前記爪ホルダを、耕起溝の溝幅中心に対して溝幅方向にオフセットして設けたことを特徴とする部分耕耘直播装置。
【請求項２】
前記オフセットされた複数の爪ホルダに、先端部が溝幅方向に折曲した折曲部を有する耕耘爪を、折曲部が溝幅中心を向く内向きのものと溝幅中心とは反対側を向く外向きのものとが混在するようにして取付けたことを特徴とする請求項１記載の部分耕耘直播装置。
【請求項３】
外向き耕耘爪を、内向き耕耘爪よりも数多くしたことを特徴とする請求項２記載の部分耕耘直播装置。
【請求項４】
内向き耕耘爪と外向き耕耘爪との折曲部を、耕耘軌跡において重合するようにしたことを特徴とする請求項２または３記載の部分耕耘直播装置。
【発明の詳細な説明】
【技術分野】
【０００１】
本発明は、不耕起状態の圃場を部分的に耕起して複数条の耕起溝を形成すると共に、該各耕起溝にそれぞれ播種を行う部分耕耘直播装置の技術分野に属するものである。
【背景技術】
【０００２】
一般に、不耕起状態の圃場を部分的に耕起して複数条の耕起溝を作耕し、これら耕起溝に播種をし、また必要において施肥まで行う部分耕耘直播装置において、耕耘軸に植設された爪ホルダを介して取り付けた耕耘爪の回転によって耕起していた（例えば特許文献１参照）。
【特許文献１】特開２００１−２９９０３０号公報
【発明の開示】
【発明が解決しようとする課題】
【０００３】
ところが前記従来のものは、全ての爪ホルダを耕起溝の溝幅中心に位置して設けていたため、爪ホルダの取り付け数に制限があるだけでなく、耕起溝の溝幅が一定であって育成植物に対応した好ましい溝幅にすることができないという問題があり、ここに本発明が解決せんとする課題がある。
【課題を解決するための手段】
【０００４】
本発明は、上記の如き実情に鑑みこれらの課題を解決することを目的として創作されたものであって、請求項１の発明は、耕耘軸に設けた複数の爪ホルダを介して取付けた耕耘爪によって耕起した耕起溝に播種するように構成した部分耕耘直播装置において、前記爪ホルダを、耕起溝の溝幅中心に対して溝幅方向にオフセットして設けたことを特徴とする部分耕耘直播装置である。
請求項２の発明は、前記オフセットされた複数の爪ホルダに、先端部が溝幅方向に折曲した折曲部を有する耕耘爪を、折曲部が溝幅中心を向く内向きのものと溝幅中心とは反対側を向く外向きのものとが混在するようにして取付けたことを特徴とする請求項１記載の部分耕耘直播装置である。
請求項３の発明は、外向き耕耘爪を、内向き耕耘爪よりも数多くしたことを特徴とする請求項２記載の部分耕耘直播装置である。
請求項４の発明は、内向き耕耘爪と外向き耕耘爪との折曲部を、耕耘軌跡において重合するようにしたことを特徴とする請求項２または３記載の部分耕耘直播装置である。
【発明の効果】
【０００５】
請求項１の発明とすることにより、耕起溝の溝幅中心に対してオフセットすることで、爪ホルダの数を増やすことができると共に、耕耘爪の先端折曲部の向きを変えて取り付けることで耕起溝の溝幅を変更することができ、耕耘能力のアップに加えて育成作物に適応した溝幅の耕起溝を耕起することができる。
請求項２の発明にすることにより、育成作物に適応した溝幅の耕起溝を耕耘爪の取り付け方向を変えることで簡単に作耕できることになる。
請求項３の発明にすることにより、耕起溝の溝側面が耕耘爪によって固く締まってしまうことを回避したものにできる。
請求項４の発明にすることにより、耕起溝の溝底面に、耕起不足の部分がリブ状に発生してしまうことを回避することができる。
【発明を実施するための最良の形態】
【０００６】
次ぎに、本発明の実施の形態について図面に基づいて説明する。図中、１はトラクタ等の牽引走行車に昇降リンク機構を介して連結される部分耕耘直播装置であって、該部分耕耘直播装置１は、耕耘ユニット２と、該耕耘ユニット２から後方に突出したツールバー３にホルダ４および平行リンク機構５を介して昇降可能に連結した播種ユニット６とを備えて構成されている。
【０００７】
耕耘ユニット２は、トラクタ等の牽引走行車側からＰＴＯ動力が入力されるギアケース７と、該ギアケース７の左右両側に位置して耕耘ユニット２の横伝動筒を兼ねる左右のアーム８とを備え、左右方向一方（本実施の形態では左側）アーム８の外端（左端）には伝動ケースであるチエンケース９が設けられ、他方のアーム８には図示しないサイドプレートが取付けられている。そしてチエンケース９およびサイドプレートのあいだには、後述するように耕耘爪１０が爪ホルダ１１を介して取付けられた耕耘軸１２が回転可能に軸支した所謂サイドドライブタイプの伝動機構を本実施の形態では採用している。そして耕耘ユニット２のリヤカバー２ａの後方には耕深調節用の尾輪１３をツールバー３に支持している。
【０００８】
一方、播種ユニット６は、稲や麦等の種子を収容する種子タンク１４と、該種子タンク１４に収容した種子を播種する播種部１５と、播種溝形成用の溝切り刃１６と、播種溝を覆土する覆土板１７と、播種溝の上面を鎮圧する鎮圧ローラ１８と、接地輪１９とを備えて構成されている。
そして耕耘爪１０で作耕した耕起溝Ｕをリヤカバー２ａで埋め戻した後、該埋め戻した耕起溝Ｕの一部に溝切り刃１６で播種溝を形成し、該播種溝に播種、覆土、そして鎮圧をすることで部分耕起直播が実行されるようになっている。
【０００９】
前記耕耘軸１２には、複数条の耕起溝Ｕを所定の間隔を存して部分耕起すべく対応する位置に耕耘爪１０を取付けるための爪ホルダ１１が軸回り方向に複数取付けられているが、爪ホルダ１１は、耕起溝Ｕの幅中心Ｏに対して左右にオフセット（振り分け）される状態で軸回り方向左右交互に放射状に取り付けられている。つまり一つの耕起溝Ｕを形成するための爪ホルダ１１は、耕起溝Ｕの溝幅中心Ｏを基準（中心）として左側に寄って左側爪ホルダ１１Ｌと、右側に寄っている右側爪ホルダ１１Ｒとが交互に軸周り方向位置をずらせて設けられており、これによって左右爪ホルダ１１Ｌ、１０Ｒの基部が側面視で互いにオーバーラップする状態で取付けられ、これによって爪ホルダ１１の取付け本数を増加できる配慮がなされている。
【００１０】
そして前記各爪ホルダ１１に、背面視（正面視でも良い）で先端部が左右方向一方に折曲した折曲部１０ａを有する耕耘爪（耕耘刃）１０が取付けられるが、この場合に、図２、３に示す第一の実施の形態のものでは、耕耘爪１０は、前記折曲部１０ａが溝幅中心Ｏを向く内向きになるものと、溝幅中心Ｏとは反対側を向く外向きになるものとが左右の爪ホルダ１１Ｌ、１１Ｒにそれぞれ設けられている。つまり本実施の形態では、４本ある左側爪ホルダ１１Ｌのうち、３本の爪ホルダ１１Ｌには折曲部１０ａｏが外向き（図２において折曲部１０ａが左側（溝幅中心Ｏとは逆側）を向く状態）になるようにして耕耘爪１０Ｌｏが取付けられ、１本の爪ホルダ１１Ｌには折曲部１０ａｉが内向き（図２において折曲部１０ａが右側（溝幅中心Ｏ側）を向く状態）になるようにして耕耘爪１０Ｌｉが取付けられている。
【００１１】
これに対し、４本ある右側爪ホルダ１１Ｒのうち、３本の爪ホルダ１１Ｒには折曲部１０ａが外向き（図２において折曲部１０ａが右側（溝幅中心Ｏとは逆側）を向く状態）になるようにして耕耘爪１０Ｒｏが取付けられ、１本の爪ホルダ１１Ｌには折曲部１０ａが内向き（図２において折曲部１０ａが左側（溝幅中心Ｏ側）を向く状態）になるようにして耕耘爪１０Ｒｉが取付けられている。
そして主に、外向きの耕耘爪１０で耕起溝Ｕの溝側面と溝底面とを作耕することになるが、耕耘爪１０について外向きだけとした場合、オフセットした左右耕耘爪１０Ｌ、１０Ｒのあいだが空いてしまうため耕耘不足となった残耕部Ｗがリブ状に形成されてしまうことになり、そこでこの残耕部Ｗを、内向きの耕耘爪１０の折曲部１０ａを、オフセット配置される外向きの耕耘爪１０の折曲部１０ａと側面視において重合させて耕耘するようになっている。
【００１２】
因みに、図６に耕耘爪１０について方向を変えて取付けた場合に作耕される耕起溝Ｕの例について図示するが、（Ａ）のものは、前述したように左右の耕耘爪１０Ｌ、１０Ｒをそれぞれ外側に向けて耕起した場合の耕起溝であって、最も幅広の耕起溝となる。これに対し、（Ｂ）のものは左右の耕耘爪１０Ｌ、１０Ｒをそれぞれ内向きに取り付けた場合の耕起溝であって、最も幅狭な耕起溝Ｕとなる。これに対し（Ｃ）（Ｄ）のものは、左右の耕耘爪１０Ｌ、１０Ｒの向きを内向き、外向きにしたものと、逆に外向き、内向きにしたものであって、耕起溝Ｕの溝幅が前記（Ａ）（Ｂ）の耕起溝Ｕの溝幅の中間で同じになるが、耕起溝Ｕが形成される位置が、右側爪ホルダ１１Ｒ側に偏倚しているか、左側爪ホルダ１１Ｌ側に偏倚しているかの違いが生じる。そして、このようにすることで、耕起溝Ｕの溝幅を異ならしめたり、耕起位置を変更したりすることが必要においてできることになる。
【００１３】
また本実施の形態では、６条の耕起溝Ｕを形成するようになっているが、そのうちの左右中央位置の耕起溝Ｕ間には排水溝Ｘを作耕するための排水溝形成用爪２０が排水溝形成用爪ホルダ２１を介して取付けられている。この爪ホルダ２１も左右にオフセットされているが、本実施の形態では耕耘爪用の爪ホルダ１１よりも本数が少ない設定になっている。そして排水溝形成用爪２０は、折曲部２０ａが何れも内向きとなるようにして取付けられるが、これは作耕された排水溝Ｘの溝側面Ｙが、排水溝形成用爪２０の爪基端部２０ｂによって恰もコテで撫で付けられて固く締まる状態で形成され、これによって排水溝Ｘの溝側面Ｙが早期のうちに崩れ落ちてしまわないよう配慮されている。尚、排水溝Ｘを形成する場合、排水溝形成手段としては前記実施の形態のように爪体でなく、図５に示すディスク体２２のようなものを採用してもコテで撫で付けられた状態になって良いことは勿論である。また、排水溝Ｘは、各耕起溝Ｕのあいだに形成したり、耕起溝Ｕの一つおきに形成する等、必要において形成場所や数を設定できることは言うまでもない。
【００１４】
叙述の如く構成された本発明の実施の形態において、複数の耕起溝Ｕを耕耘爪１０で耕起した後、播種、覆土そして鎮圧をするという部分耕耘直播を行うことになるが、この場合に、一つの耕起溝Ｕを耕起するための前記耕耘爪１０を取付けるべく耕耘軸８に設けた爪ホルダ１１を、耕起溝Ｕの溝幅中心Ｏに対して溝幅方向に交互にオフセットして順次設けたため、爪ホルダ１１が、基端部を側面視でオーバーラップした取り付けができることになって、その分、爪ホルダ１１の数を増やすことができ、この結果、耕耘爪１０の数も増えることになって耕耘効率が向上する。
【００１５】
しかもこの場合に、前記オフセットされた複数の爪ホルダ１１に、先端部が溝幅方向に折曲した折曲部１０ａを有する耕耘爪１０を、折曲部１０ａが溝幅中心Ｏを向く内向きのものと溝幅中心Ｏとは反対側を向く外向きのものとが混在するようにして取付けることにより、耕起溝Ｕの溝幅を変化させたものを作耕することができ、この結果、育成作物に適した溝幅の耕起溝Ｕを耕耘爪１０の取付け方向を変えることで簡単にでき、個々の溝幅の耕耘装置を用意しておく必要が無い。
【００１６】
さらにまた外向き耕耘爪を、内向き耕耘爪よりも数多くしたことにより、作耕される耕起溝Ｕは、外向き耕耘爪によって溝側面が脆い状態の耕起がなされることになって、排水溝Ｘを作耕する場合のように恰もコテでなぞられたようにして締め固めた状態に成ることが無く、この結果、育成植物の根張りの障害になってしまうようなことも回避できる。
【００１７】
しかも、外向きの耕耘爪１０で耕起溝Ｕの溝側面と溝底面とを作耕することになるが、耕耘爪１０について外向きだけとした場合、オフセットした左右耕耘爪１０Ｌ、１０Ｒのあいだが空いてしまうため耕耘不足となってリブ状に形成されてしまう残耕部Ｗを、内向きの耕耘爪１０の折曲部１０ａとオフセット配置される外向きの耕耘爪１０の折曲部１０ａとを側面視において重合させて耕耘して残らないようにしており、これによって残耕部Ｗの無い耕起溝Ｕを確実にできることになる。
【００１８】
さらにこのものでは、爪ホルダ１１の左右オフセット量を適宜変更することで、耕起溝Ｕの溝幅をさらに異ならしめることができ、育成作物に対応させることができる。そしてこの場合に、前記実施の形態では、左右方向二列のオフセットとしたが、左右方向に三列、あるいはそれ以上の列のオフセットにすることもできる。
【図面の簡単な説明】
【００１９】
【図１】部分耕耘直播装置の側面図である。
【図２】爪ホルダと耕耘爪の配設状態を示す背面図である。
【図３】爪ホルダと耕耘爪の配設状態を示す側面図である。
【図４】排水溝成形用爪を設けた耕耘軸の背面図である。
【図５】排水溝成形用ディスクを設けた耕耘軸の背面図である。
【図６】（Ａ）〜（Ｄ）は耕耘爪の取り付けの変形例を示す背面図である。
【符号の説明】
【００２０】
１    部分耕耘直播装置
８    耕耘軸
１０    耕耘爪
１０ａ  折曲部
１１    爪ホルダ
【図１】
2007244258.tif 000003
【図２】
2007244258.tif 000004
【図３】
2007244258.tif 000005
【図４】
2007244258.tif 000006
【図５】
2007244258.tif 000007
【図６】
2007244258.tif 000008